【事件の表示】
　平成　７年特許願第２６６８３３号「原稿読取装置および方法」拒絶査定不服審判事件〔平成　９年　５月　２日出願公開、特開平　９−１１６７４５〕について、次のとおり審決する。
【結　論】
　本件審判の請求は、成り立たない。
【理　由】
１　手続の経緯
　本願は、平成７年１０月１６日の出願であって、平成１７年６月１７日付けで拒絶査定がなされ、これに対し、同年７月２１日に拒絶査定に対する審判請求がなされるとともに、同年８月８日付けで手続補正がなされたものである。
　
２　平成１７年８月８日付けの手続補正についての補正却下の決定
[補正却下の決定の結論]
　平成１７年８月８日付けの手続補正を却下する。
[理由]
（１）補正後の本願発明
　本件補正により、特許請求の範囲の請求項５は、
「【請求項５】　原稿を
移送して
　読み取った前記画像データを記録し、
　前記画像データを表示する原稿読取方法において、
　前記原稿を読み取るとき、
移送される
スキャン
　ことを特徴とする原稿読取方法。」と補正された。
　上記補正は、請求項５に記載した発明を特定するために必要な事項である「読み取り」について「移送して」との限定を付加し、「原稿」について「移送される」との限定を付加するもの等であって、平成１８年改正前特許法第１７条の２第４項第２号の特許請求の範囲の減縮を目的とするものに該当する。
　そこで、本件補正後の上記請求項１に記載された発明（以下、「本願補正発明」という）が特許出願の際独立して特許を受けることができるものであるか（平成１８年改正前特許法第１７条の２第５項において準用する同法第１２６条第５項の規定に適合するか）について以下に検討する。
　
（２）刊行物
　原審拒絶理由で引用された、本願の出願日前である平成６年４月１５日に頒布された「特開平６−１０５０３７号公報」（以下、「刊行物１」という）は、「ファクシミリ装置」に関するものであって、その公報には次の事項が記載されている。
ア　「図１は、この発明のファクシミリ装置の実施例に係わるファクシミリ装置の概略構成をブロック図で示したものである。図１において、このファクシミリ装置は、各部を制御する中央演算処理装置（ＣＰＵ）１、ＣＰＵ１に各部を制御させるためのプログラムや処理データ等を記憶するプログラムメモリ２、受信原稿等の画像データの表示や印字開始指令等の各種動作起動のための指示を与える操作パネル部３、印字開始指令に基づき該当する画像データを所定の記録紙に印字する印字ユニット４、送信原稿等の読み取り走査を行うスキャナユニット５、各部に電源を供給する電源ユニット６、受信または読み取り走査により得た画像データを蓄積する画像メモリ７、ファクシミリ通信に係る画像データの変復調を行なうモデム８、本装置と網との間の接続制御を実行する網制御装置（ＮＣＵ）９、後述する原稿挿入部１００ａへの原稿のセットを検出する原稿検出スイッチ１２、ＣＰＵ１と各部とのデータのやり取りを行なうシステムバス１０を具備して構成され、ＮＣＵ９は通信回線１１に接続される。
上記各回路部のうち、操作パネル部３は、表示すべき画像データを記憶するメモリ（ビデオＲＡＭ）３１、このビデオＲＡＭ３１に記憶された画像データを表示する液晶表示器（ＬＣＤ）３２，ＬＣＤ３２の表示面上に設けられた透明なタッチパネルキーアレイ（以下、単にタッチパネルと略称する）３３とから構成される。
このファクシミリ装置の基本動作において、例えば、ＮＣＵ９を通じて通信回線１１から受信された画像データは、ＣＰＵ１の制御によって、データバス１０を通して一旦画像メモリ７に格納される。同様に、スキャナユニット５の読み取り走査により得られた画像データはデータバス１０を通して一旦画像メモリ７に格納される。また、画像メモリ７に格納された画像データは、操作パネル部３のタッチパネル３３の所定の操作に応じて画像メモリ７からファイル単位またはページ単位で読み出し、ＬＣＤ３２上に表示したり、印字ユニット４を用いてハードコピーとして出力することができる。」（２頁２欄【００１１】ないし３頁３欄【００１４】、図１）
イ　「図２はこの実施例のファクシミリ装置の外観構造を示すもので、装置本体部１００に対してハンドスキャナ２００が着脱自在に装着されている。このハンドスキャナ２００は、カールコード２００ａを介して装置本体部１００に接続されている。また、このファクシミリ装置には通話のためのハンドセット４００がカールコード４００ａを介して接続されている。なお、図２においては、ハンドスキャナ２００を装置本体部１００に装着した状態が示されている。
この状態において、通常スキャナモードで原稿５００を読み取る場合は原稿５００を装置本体部１００の原稿挿入部１００ａにセットし、操作パネル部３の後述するスタートボタンを押すことにより行われる。通常スキャナモードにおける原稿の搬送方向が図２に矢印で示される。」（３頁３欄【００１５】ないし４欄【００１６】、図２）
　　
（３）対比・判断
ア　本願補正発明と刊行物１に記載された発明（以下、「刊行物発明」という）との対比
　本願補正発明と刊行物発明を対比すると、
（ア）上記２（２）ア、イによれば、刊行物発明は、図２に矢印で示される搬送方向（本願補正発明の「スキャン方向」に相当）に搬送（本願補正発明の「移送」に相当）される原稿をスキャナにより読み取り、読み取られた画像データを画像メモリ７に蓄積し、画像メモリ７に格納された画像データは、操作パネル部３のタッチパネル３３の所定の操作に応じて画像メモリ７からファイル単位またはページ単位で読み出し、ＬＣＤ３２上に表示するから、本願補正発明と刊行物発明とは、「原稿を移送して読み取り、画像データに変換し、読み取った前記画像データを記録し、前記画像データを表示する原稿読取方法」である点で一致している。
（イ）したがって、両者は「原稿を移送して読み取り、画像データに変換し、読み取った前記画像データを記録し、前記画像データを表示する原稿読取方法。」である点で一致し、次の点で相違しているものと認められる。
ａ　本願補正発明は、「前記原稿を読み取るとき、移送される前記原稿のスキャン方向と直交する方向の前記原稿の幅のみを示す原稿ガイドを表示する」ものであるのに対し、刊行物発明は、そのようなものではない点
　　
イ　相違点ａについての検討
　移送される前記原稿のスキャン方向と直交する方向の前記原稿の幅のみを示す原稿ガイドを表示することは、例えば特開平６−１０５０７３号公報（図１１参照）、特開昭５７−１３６８５８号公報（第２，４，６，８図参照）、特開昭６１−７３９６７号公報（第１図参照）にあるように周知のものであって、適宜採用できる程度のものといえるから、刊行物発明において「前記原稿を読み取るとき、移送される前記原稿のスキャン方向と直交する方向の前記原稿の幅のみを示す原稿ガイドを表示する」ものとすることは、当業者にとって容易に推考できたものであり、また、上記相違点に基づく本願補正発明の効果に格別顕著なものがあるともいえない。
　したがって、本願補正発明は、刊行物１に記載された発明及び周知技術に基づいて、当業者が容易に発明をすることができたものであるから、特許法第２９条第２項の規定により特許出願の際独立して特許を受けることができないものである。
　
（４）むすび
　以上のとおり、本件補正は、平成１８年改正前特許法第１７条の２第５項で準用する同法第１２６条第５項の規定に違反するものであり、特許法第１５９条第１項において読み替えて準用する特許法第５３条第１項の規定により却下されるべきものである。
　
３　本願発明について
　平成１７年８月８日付けの手続補正は上記のとおり却下されたので、本願の請求項１ないし５に係る発明は、平成１７年４月１５日付けの手続補正により補正された明細書の特許請求の範囲の請求項１ないし５に記載された事項により特定されるものと認められるところ、そのうち請求項５に係る発明（以下、同項記載の発明を「本願発明」という）は以下のとおりのものである。
「【請求項５】　原稿を読み取り、画像データに変換し、
　読み取った前記画像データを記録し、
　前記画像データを表示する原稿読取方法において、
　前記原稿を読み取るとき、前記原稿の
読み取り方向と直交する方向の前記原稿の幅のみを示す
　ことを特徴とする原稿読取方法。」
　
（１）刊行物
　原審拒絶理由に引用された刊行物、および、その記載事項は、前記「２（２）」に記載したとおりである。
　
（２）対比・判断
　本願発明は、前記２で検討した本願補正発明から「読み取り」の限定事項である「移送して」との構成、及び「原稿」の限定事項である「移送される」との構成を省いたものであり、「スキャン方向」が「読み取り方向」となったものである。
　そして、「読み取り方向」は「スキャン方向」であって、本願発明の特定事項を全て含み、さらに他の特定事項を付加したものに相当する本願補正発明が、前記「２（３）」に記載したとおり、刊行物１に記載された発明及び周知技術に基づいて、当業者が容易に発明をすることができたものであるから、本願発明も、同様の理由により、刊行物１に記載された発明及び周知技術に基づいて、当業者が容易に発明をすることができたものである。
　
（３）むすび
　したがって、本願発明は、刊行物１に記載された発明及び周知技術に基いて当業者が容易に発明をすることができたものであるので、他の請求項に係る発明について検討するまでもなく、本願は、特許法第２９条第２項の規定により特許を受けることができない。
　よって、結論のとおり審決する。